(57)【要約】【課題】  ユニットに搭載された記憶装置と本体の通信端子との間で通信を行う画像形成装置において、通信回数を削減することで、前記端子の耐久性向上と印字可能状態までにかかる時間の短縮を目的とする。【解決手段】  記憶装置を有する交換可能な複数のユニットからなり、前記記憶装置と本体とにそれぞれ一つ以上の通信端子を有し、前記複数カートリッジのうちのひとつを、前記複数カートリッジに搭載された記憶装置と本体との通信ポジション、カートリッジ交換ポジションへ移動させるカートリッジ移動手段を有する画像形成装置において、ユ−ザが交換した可能性のあるユニットに限定して読込みを行う。【選択図】        図２
2005189280.tif 000002
【特許請求の範囲】
【請求項１】
記憶装置を有する交換可能な複数のユニットと、前記ユニットのうち少なくとも一つを、前記記憶装置と本体との通信位置およびユニットの交換位置へ移動させるユニット移動手段と、前記記憶装置及び本体にそれぞれ一つ以上の通信端子と、前記記憶装置と本体との通信端子間で通信を行うユニット情報読み込み手段と、前記ユニット情報読み込み手段により得られたユニットの記憶装置の情報を記憶するユニット情報記憶手段と、ユニットの交換位置に存在するユニットを特定するユニット特定手段と、前記ユニット特定手段により得られた交換位置にあるユニットの色の情報を記憶するユニット特定情報記憶手段を有し、前記ユニットのうち少なくとも一つが交換された可能性があると判断するユニット交換判断手段を有する画像形成装置において、前記ユニット交換判断手段により交換された可能性のあるユニットがあると判断される場合、交換された可能性のあるユニットに限定して前記記憶装置の読み込みを行うユニット通信管理手段を有することを特徴とする画像形成装置。
【請求項２】
請求項１の画像形成装置において、前記ユニット情報記憶手段は不揮発性メモリであることを特徴とする請求項１記載の画像形成装置。
【請求項３】
請求項１の画像形成装置において、前記ユニット特定手段により得た情報を揮発性メモリに記憶させ、前記ユニット交換判断手段により交換された可能性のあるユニットがあると判断した場合は、交換された可能性のあるユニットに限定して前記記憶装置の情報の読み込みを行い、電源投入した場合は全てのユニットに対して前記記憶装置の情報の読み込みを行うユニット情報読み込み手段を有することを特徴とする請求項１記載の画像形成装置。
【請求項４】
請求項１の画像形成装置において、前記ユニットを交換するためのドアと、前記ドアの開閉を検出するドア開閉検出手段と、前記ドア開閉検出手段によりドアの開閉を検出した時、前記ユニットのうち少なくとも一つは交換された可能性があると判断するユニット交換判断手段を有することを特徴とする請求項１記載の画像形成装置。
【請求項５】
請求項１の画像形成装置において、前記通信手段として接触方式を用いることを特徴とする請求項１記載の画像形成装置。
【請求項６】
請求項１の画像形成装置において、前記通信手段として非接触方式を用いることを特徴とする請求項１記載の画像形成装置。
【発明の詳細な説明】
【技術分野】
【０００１】
本発明はプリンタもしくは複写機等の画像形成装置に関し、特に記憶装置を有する交換可能な複数のユニットを有する画像形成装置に関するものである。
【背景技術】
【０００２】
従来から画像形成装置において、いくつかのユニットを交換部品としているものがある。例えばカラー画像形成装置において、２色以上のカラー画像を現像する方式の一つとして、下記、特許文献1に示されるように、単一感光体のみを備え、その上に現像剤の色と同数回の作像サイクルを繰り返してカラー画像を形成する方式（以下ロータリ方式と記す）がある。この方式は小型で低コストの装置が実現できる。上記ロータリ方式で複数の現像器をまとめて保持する役割を担うのが回転式現像器保持体である。この現像器保持体は画像形成装置本体に備えた軸心を中心に回転し、複数の現像器を着脱可能としている。この現像器には、記憶装置として不揮発性メモリを搭載し、この記憶装置に現像器の使用情報や現像器のナンバーなどを記憶させる。
【０００３】
従来の装置では、上記ロータリ方式において各現像器の記憶装置との通信接点を本体側に１箇所だけ持ち、前記記憶装置と本体との通信位置に現像器を移動させ、記憶装置からの読み込み及び書き込みを行う。そして、現像器を交換するためのドアを有し、前記ドアを開放して現像器を交換するよう構成されている。この構成において、現像器が交換された可能性がある電源投入時またはドアクローズ時に全ての現像器の記憶装置から情報の読み込みを行い、現像器の記憶装置に記憶されている情報を取り出すことで、画像形成装置本体は現像器の状態を管理している。
【特許文献１】特開平２−２５４８６８公報
【発明の開示】
【発明が解決しようとする課題】
【０００４】
上記従来例のような方式では以下のような問題が生じる。
【０００５】
上記従来例において、前記現像器が有する記憶装置と本体の端子との通信手段が接触式である場合は、現像器が交換された可能性がある電源投入時、またはドアの開閉時に、各々の現像器の記憶装置から情報を読み込む処理毎に接触が繰り返し行われることにより、記憶装置と本体の端子が劣化する問題が起こる。また、現像器が交換された可能性がある電源投入時、及びドアの開閉時に、全ての現像器に対して前記記憶装置からの情報読み込み処理を行うため、印字動作待機状態になるまでに多くの時間を費やしてしまうという問題がある。
【０００６】
また、前記ユニットが有する記憶装置と本体の端子との通信手段が非接触式である場合は、上記劣化の問題に対しては解決されるが前記印字動作状態までの時間の短縮はできない。
【０００７】
前記印字動作状態までの時間短縮の方法として、現像器の記憶装置と同数の接点を本体側に設置し、各現像器の記憶装置からの読み込みを同時に行うことにより、読み込み処理に要する時間を短縮できるが、本体の接点を増やすことで構成が複雑になりコストがかかる。
【０００８】
本発明は上述の問題点に鑑みてなされたものであって、ユニットに搭載された記憶装置と本体の通信端子との間での通信回数を削減することで、前記端子の耐久性を向上させ、印字可能状態までにかかる時間を短縮することのできる画像形成装置の提供を目的としている。
【課題を解決するための手段】
【０００９】
上記従来の技術の問題を解決するために、記憶装置を有する交換可能な複数の現像器と、前記記憶装置と本体との間で行う通信手段を有する画像形成装置において、交換された可能性のある現像器をメモリに記憶させておくことにより、現像器が交換された可能性のある場合に、記憶された現像器に限定して記憶装置からの情報読み込みを行うことが可能になる。また、前記メモリに不揮発性メモリを用いることで、電源投入後の記憶装置からの情報読み込み時に、記憶された現像器に限定して記憶装置からの情報読み込みを行うことが可能になる。
【００１０】
本発明の画像形成装置が備える上述の構成を、改めて以下（１）〜（６）に整理して示す。
【００１１】
（１）記憶装置を有する交換可能な複数のユニットと、前記ユニットのうち少なくとも一つを、前記記憶装置と本体との通信位置およびユニットの交換位置へ移動させるユニット移動手段と、前記記憶装置及び本体にそれぞれ一つ以上の通信端子と、前記記憶装置と本体との通信端子間で通信を行うユニット情報読み込み手段と、前記ユニット情報読み込み手段により得られたユニットの記憶装置の情報を記憶するユニット情報記憶手段と、ユニットの交換位置に存在するユニットを特定するユニット特定手段と、前記ユニット特定手段により得られた交換位置にあるユニットの色の情報を記憶するユニット特定情報記憶手段を有し、前記ユニットのうち少なくとも一つが交換された可能性があると判断するユニット交換判断手段を有する画像形成装置において、前記ユニット交換判断手段により交換された可能性のあるユニットがあると判断される場合、交換された可能性のあるユニットに限定して前記記憶装置の読み込みを行うユニット通信管理手段を有することを特徴とする。
【００１２】
（２）上記（１）において、前記ユニット情報記憶手段は不揮発性メモリであることを特徴とする。
【００１３】
（３）上記（１）において、前記ユニット特定手段により得た情報を揮発性メモリに記憶させ、前記ユニット交換判断手段により交換された可能性のあるユニットがあると判断した場合は、交換された可能性のあるユニットに限定して前記記憶装置の情報の読み込みを行い、電源投入した場合は全てのユニットに対して前記記憶装置の情報の読み込みを行うユニット情報読み込み手段を有することを特徴とする。
【００１４】
（４）上記（１）において、前記ユニットを交換するためのドアと、前記ドアの開閉を検出するドア開閉検出手段と、前記ドア開閉検出手段によりドアの開閉を検出した時、前記ユニットのうち少なくとも一つは交換された可能性があると判断するユニット交換判断手段を有することを特徴とする。
【００１５】
（５）上記（１）において、前記通信手段として接触方式を用いることを特徴とする。
【００１６】
（６）上記（１）において、前記通信手段として非接触方式を用いることを特徴とする。
【発明の効果】
【００１７】
本発明によれば、電源投入時、または上カバーの開閉時にユーザーが交換した可能性のある現像器に限定して記憶装置からの情報読み込みを行うことで、記憶装置からの情報読み込み回数を削減することができる。そのため、接触式の通信方式の場合、記憶装置と本体の接点の耐久による劣化に対し効果を上げることができ、また現像器の記憶装置からの情報読み込み処理時間の短縮に対して効果をあげることが出来る。さらに、安価な構成で記憶装置と本体の接点との通信を行うことが可能になり、コストを抑えることが出来る。非接触式の通信方式の場合は、現像器の記憶装置への読み込み回数が削減できることにより、現像器の記憶装置からの情報読み込み処理時間の短縮に対して効果をあげることが出来る。
【発明を実施するための最良の形態】
【００１８】
以下に、本発明の実施の形態を、実施例に基づき、図面を参照して詳細に説明する。
【実施例】
【００１９】
（第１の実施例）
まず、カラー電子写真画像形成装置の全体構成について、図１を参照して概略を説明する。図１は、カラー電子写真画像形成装置の一形態であるカラーレーザビームプリンタ（以下、単に「プリンタ」という）の全体構成説明図である。本実施例のプリンタは、感光ドラム１００、光学ユニット１０１、帯電ローラ１０２、一次転写ローラ１０３、中間転写体テンションローラ１０４、中間転写体駆動ローラ１０５、中間転写体クリーニングローラ１０７、現像器保持体１５０、現像器保持体駆動モータ１６１、４個の現像器２０１ａ〜２０１ｄ、現像器保持体基準位置検知センサ１３１、搬送ベルト１２１、定着ユニット１２６、給紙トレイ１８０、手差し給紙トレイ１２４、濃度及びタイミングセンサ１３０、二次転写ローラ１２０、排紙ローラ１６２、排紙トレイ１２５及び上部排紙トレイ１２７等を有している。
【００２０】
次に印字に至るまでの工程の概要について説明する。
【００２１】
まず、感光ドラム１００上に配置している帯電ローラ１０２によって感光ドラム１００の表面を所望の極性に均一に帯電（例えば−６００Ｖ）させる。次に画像同期信号を基準にコントローラから送出される画像データを基に、光学ユニット１０１を用いてレーザＬで感光ドラム１００上を露光することにより感光ドラム上に潜像を形成させる。潜像を可視化する為のプロセス一例を挙げると、例えばＹ（イエロー）用画像形成手段２０１ａにより感光ドラム１００上に形成された潜像を、現像スリーブ１５２に所定の電圧を印加（例えば−３００Ｖ）して感光ドラム１００上の潜像をトナー等による現像剤による現像を行い、感光ドラム１００上に可視化されたトナー像を形成させる。その後、一次転写ローラ１０３により感光ドラム１００上のトナー像を中間転写体に転写を行いとりあえず画像を保持させる。同様にＭ（マゼンタ）、Ｃ（シアン）、Ｂｋ（ブラック）についても、順次各色用現像器２０１ｂ〜２０１ｄで感光ドラム１００上にそれぞれの画像データに応じた潜像をそれぞれの現像手段のスリーブとトナーにより現像を行うことによりトナー像の形成を行う。前記作業を各色ごとに順次中間転写体に形成画像を保持させる。
【００２２】
中間転写体上の各色の保持トナー像は、所定のタイミングで転写が行われるので中間転写体上で多重のトナー像となる。一方最後の画像形成色での現像が終了した後、所定のタイミングで二次転写ローラ１２０と中間転写体クリーニングローラ１０７を中間転写体駆動ローラ１０５に中間転写体を介して当接させる。中間転写体に当接させた後、それぞれのローラに高圧（例えば所定のタイミングでトナー像と反対極性（例えばプラス極性）の転写高圧（例えば＋１０００Ｖ）を二次転写ローラ１２０に印加して、またクリーニングローラ１０７には同様にプラス極性の電圧（例えば＋１０００Ｖと矩形波電圧（例えば１ＫＨｚ、２ＫＶｐｐ））印加を行い、中間転写体駆動ローラ１０５には例えば一次転写ローラ１０３と同極性同電位の電圧印加を行い、転写材の搬送を待つ。
【００２３】
さらに該トナー像を転写するために別途必要な所定のタイミングで、給紙トレイ１８０からは給紙ローラ１２５もしくは手差し給紙トレイ１２４からは給紙ローラ１２３により転写材を摘出する。摘出した転写材はレジローラ１２２でいったん停止して、中間転写体上への最終色の画像形成終了を待つ。最終色の画像形成が終了後所望のタイミングでレジローラ１２２は転写材の再搬送を開始する。搬送された転写材は当接した２次転写ローラと中間転写体駆動ローラ１０５で駆動されている中間転写体の間に搬送され、中間転写体上の多色多重トナー像は中間転写体駆動ローラ１０５と二次転写ローラ１２０に印加されているバイアスの電位差のより転写材上へ転写させる。
【００２４】
その後、転写後に中間転写体上に残留するトナーはクリーニングローラ１０７によって除去もしくは再チャージを行い、中間転写体上の残留トナーは再チャージにより感光ドラム１００へ戻り、感光ドラム１００に接触しているブレードにより回収される。ブレードで回収された残留トナーは、不図示の駆動で廃トナーエリア１１１へ蓄積される。また、クリーニングローラ１０７に付着した残留トナーは、別途所定のプロセスで後に感光ドラム１００に回収させる。転写材への転写が終了した後、クリーニングローラ１０７と二次転写ローラ１２０は中間転写体駆動ローラ１０５より離間させ、次の画像形成に備える。なお、クリーニングされた感光ドラム１００は帯電ローラ１０２により再び感光ドラム１００の表面を所望の極性に均一に帯電させ、次の潜像形成及び現像工程に備える。また、残留トナーをクリーニングした中間転写体においても同様である。
【００２５】
一方、トナー像を転写させた転写材は搬送ベルト１２１から定着ローラ１２６で転写材へトナー像を定着させる。トナー像を定着した転写材は、上部排紙トレイ１２７もしくは下部排紙トレイ１２５へ排出される。また、手差し給紙トレイ１２４はユーザーの必要に応じ開閉でき、また転写材のサイズに応じてトレイ自体を伸縮させることが出来る。下部排紙トレイ１２５についても同様に排紙トレイのサブステイが伸縮可能である。また、上部排紙トレイも、転写材のサイズに応じて、不図示のストッパーガイドを伸縮することが可能である。
【００２６】
以上が本発明に用いたカラー画像形成装置の動作の概要である。このカラー画像形成装置を用いると、非常に高精密で色彩の再現性の良いフルカラー画像が得られる。
【００２７】
次に、本発明の特徴である現像器及び現像器保持体、現像器と本体との通信に関する構成及び制御について、図２〜図５を用いて説明する。
【００２８】
図２は現像器の記憶装置と本体の接点との通信に関する構成について説明する。本実施例の画像形成装置では、現像器２０１に現像器記憶装置、例えばＮＶ−ＲＡＭ（Ｎｏｎ  Ｖｏｌａｔｉｌｅ−ＲＡＭ）のような不揮発性メモリ（ＲＡＭ）２０２が搭載されており、メモリ通信時には現像器２０１に搭載された記憶装置２０２に対して、画像形成装置本体からメモリ通信コネクタ２０６が迫り出してくる構成になっている。このメモリ通信コネクタ２０６は、電線等により画像形成装置本体の主制御装置１４０に接続される。また、本実施例では現像器記憶装置２０２としては１ｋバイトの記憶容量を持つＮＶ−ＲＡＭ（Ｎｏｎ  Ｖｏｌａｔｉｌｅ−ＲＡＭ）を用いたが、これは例えば磁性記憶媒体や光記憶媒体等の記憶媒体であっても良い。また、このＮＶ−ＲＡＭ中には像担持体種別や寿命等の現像器２０１の品質情報が予め記憶され、画像形成時の制御に利用される。
【００２９】
図３は本実施例の形態における現像器２０１を現像器取り出し位置で挿抜する部分の断面図である。画像形成装置本体の上部には上カバー１２８が設置されており、ヒンジ１２９を中心にして開閉する。すると、現像器取り出し位置に停止している現像器２０１ａが取り出し可能になるので、それぞれの現像器の挿抜を行うことができる。
【００３０】
図４は現像器保持体の駆動に関連した部分を示した図である。１５０は現像器を保持する現像器保持体である。１７０は現像器保持体駆動モータ１６１の軸上に取り付けられた多数のスリットパターンを持つ反射板であり、１７１は反射板１７０からの反射光を検知するためのエンコーダである。モータ１６０の回転量と現像器保持体１５０の回転量は比例関係にあるため、主制御装置１４０はエンコーダ１７１により検出されたパルス信号を入力し、パルス数をカウントすることにより、現像器保持体の回転量を検出する。また、現像器保持体１５０には現像器保持体原点指示材１３２を有しており、現像器保持体基準位置検知センサ１３１を遮光する。
【００３１】
図５に主制御装置１４０が持つ制御のブロック図を示す。主制御装置１４０は以下のような制御手段を有している。まず、ドア開閉検出手段５００について説明する。上カバー１２８が開閉されると、上カバー１２８の一部に配置された突起１２８ａによりインターロックスイッチ１３９を切り替える。それにより、画像形成装置本体の上カバー開閉検知回路の電圧レベルが変化し、主制御装置は本体上カバーが開閉したことを認識する。前記ドア開閉検出手段５００によりドアの開放を検知した場合、現像器交換判断手段５０１は交換された可能性があると判断する。以上がドア開閉検出手段５００の制御である。
【００３２】
次に、現像器保持体位置検出手段５０４について説明する。まず、現像器保持体位置制御手段５０３は現像器保持体駆動モータを回転させる制御である。そして、前記現像器保持体位置制御手段５０３により現像器保持体を回転させ、現像器保持体基準位置検知センサ１３１からの入力信号より現像器保持体の原点位置を検知し、エンコーダ１７１の入力パルスをカウントすることにより、現像器保持体の回転量を検出し、主制御装置１４０は現像器保持体の原点位置からの回転量すなわち現像器保持体の現在位置を認識する。以上が現像器保持体位置検出手段５０４の制御である。
【００３３】
次に、現像器特定手段５０２について説明する。前記現像器交換判断手段５０１により、現像器が交換された可能性がある場合、前記現像器保持体位置検出手段５０４により、現像器取り出し位置に存在する現像位置を特定する。以上が現像器特定手段５０２の制御である。
【００３４】
次に、現像器情報読み込み手段５０６について説明する。記憶装置２０２とメモリ通信コネクタ２０６を接触させ、現像器記憶装置２０２に格納されている情報を読み込む。以上が現像器情報読み込み手段５０６の制御である。
【００３５】
次に、主制御装置１４０の有する揮発性メモリ１０８内に、前記現像器特定手段５０２により現像器取り出し位置に存在する現像器の色の情報を記憶する領域確保し、前記領域を現像器特定情報記憶手段（以下、特定情報記憶領域と記す）５０７とする。
【００３６】
また、主制御装置１４０の有する揮発性メモリ１０８内に、前記現像器情報読み込み手段５０６により現像器の記憶装置２０２から読み出した情報を記憶する領域を確保し、前記領域を現像器情報記憶手段５０８とする。
【００３７】
また、主制御装置１４０はドアが前記ドア開閉検知手段５００よりドアの閉鎖を検知してから現像器の記憶装置の読み込み処理までの時間をカウントするためのタイマ５１０を有する。
【００３８】
次に、現像器通信管理手段５０５を図６のフローチャートを用いて説明する。まず、タイマのカウントはクリアされているものとする。前記ドア開閉検出手段５００により上カバー１２８の開放を検知すると現像器交換判断手段５０１により現像器が交換された可能性があると判断した場合（Ｓ１０１）、以下の処理に進む。
【００３９】
前記現像器特定情報手段よりどの現像器が交換された可能性があるか特定し、特定された現像器の色の情報を前記特定情報記憶領域５０７に記憶する。例えば、イエローの現像器が交換されたと判断された場合（Ｓ１０２）、特定情報記憶領域５０７のビット０をＴＲＵＥにする（Ｓ１０３）。マゼンタ、シアン、ブラックについても同様に、現像器が交換されたと判断された場合、それぞれ特定情報記憶領域５０７のビット１、ビット２、ビット３をＴＲＵＥにする。（Ｓ１０４、Ｓ１０５，Ｓ１０６）。
【００４０】
そして、ユーザーが上カバーを閉鎖して、前記ドア開閉検出手段５００により上カバー１２８の閉鎖を検知すると（Ｓ１０７）、タイマをクリアし、タイマのカウントを開始する。
【００４１】
そして、現像器交換検出手段により現像器が交換された可能性があると判断された場合、Ｓ１０２〜Ｓ１０７の処理を繰り返し行う。
【００４２】
タイマが所定のカウントになるまでに現像器が交換されたと判断された場合（Ｓ１００）、以下の処理を実行する。
【００４３】
特定情報記憶領域５０７のビット０がＴＲＵＥの場合（Ｓ１０８Ｙ）、前記現像器保持体位置制御手段５０３により現像器保持体を回転させ、前記現像器保持体位置検出手段５０４により現像器の記憶装置と本体の接点との通信位置にイエローの現像器を停止させ、前記現像器情報読み込み手段５０６によりイエローの現像器の記憶装置から読み込みを行い、読み出した情報を現像器情報記憶手段５０８に記憶する（Ｓ１０９Ｙ）。そして特定情報記憶領域５０７のビット０をクリアする。以下マゼンタ、シアン、ブラックについても同様に処理を実行し（Ｓ１０８Ｍ〜Ｓ１１０Ｋ）、終了する。
【００４４】
以上が本発明の第１の実施形態である。本実施形態を用いると、ユーザーが上カバー１２８の開閉時に現像器を交換した時、上カバー閉鎖後の記憶装置２０２からの情報読み込みは交換された可能性のある現像器のみ行われ、交換された可能性のない現像器は不必要な読み込みを実行しない。そのため、記憶装置２０２からの情報読み込み回数を削減でき、現像器の記憶装置と本体との通信接点の耐久性の向上に対して効果をあげることができる。
【００４５】
また記憶装置２０２からの情報読み込みの時間が短縮でき、ユーザビリディを向上することができる。なお、本実施例では現像器の記憶装置と本体との通信端子間の通信手段として接触方式を用いたが、本実施形態において、前記通信手段として接触方式でなく非接触方式を用いた場合でも同様に記憶装置２０２からの情報読み込み回数を削減できる。そのため、記憶装置２０２からの情報読み込みの時間が短縮でき、ユーザビリディを向上することができる。
【００４６】
（第２の実施例）
本実施例で用いる画像形成装置の概略構成を図１に、記憶装置２０２とメモリ通信コネクタ２０６との通信方法を図２に、現像器２０１の現像器取り出し位置で挿抜する部分の断面図を図３に、現像器保持体の駆動に関連した部分の図を図４に示すが、これらについては第１の実施例の内容とおなじであるので説明を省略する。
【００４７】
図７に記憶装置２０２と本体の接点との通信方法のブロック図を示す。主制御装置１４０は以下のような制御手段を有している。
【００４８】
まず、ドア開閉検出手段５００について説明する。上カバー１２８が開閉されると、上カバー１２８の一部に配置された突起１２８ａによりインターロックスイッチ１３９を切り替える。それにより、画像形成装置本体の上カバー開閉検知回路の電圧レベルが変化し、主制御装置は本体上カバーが開閉したことを認識する。前記ドア開閉検出手段５００によりドアの開放を検知した場合、現像器交換判断手段５０１は交換された可能性があると判断する。以上がドア開閉検出手段５００の制御である。
【００４９】
次に、現像器保持体位置検出手段５０４について説明する。まず、現像器保持体位置制御手段５０３は現像器保持体駆動モータを回転させる制御である。そして、前記現像器保持体位置制御手段５０３により現像器保持体を回転させ、また現像器保持体基準位置検知センサ１３１からの入力信号より現像器保持体の原点位置を検知し、さらにエンコーダ１７１の入力パルスをカウントすることにより、現像器保持体の回転量を検出し、主制御装置１４０は現像器保持体の原点位置からの回転量すなわち現像器保持体の現在位置を認識する。以上が現像器保持体位置検出手段５０４の制御である。
【００５０】
次に、現像器特定手段５０２について説明する。前記現像器交換判断手段５０１により、現像器が交換された可能性がある場合、前記現像器保持体位置検出手段５０４により、現像器取り出し位置に存在する現像位置を特定する。以上が現像器特定手段５０２の制御である。
【００５１】
次に、現像器情報読み込み手段５０６について説明する。記憶装置２０２とメモリ通信コネクタ２０６を接触させ、現像器記憶装置２０２に格納されている情報を読み込む。以上が現像器情報読み込み手段５０６の制御である。
【００５２】
次に、主制御装置１４０の有する揮発性メモリ１０８内に、前記現像器特定手段５０２により現像器取り出し位置に存在する現像器の色の情報を記憶する領域確保し、前記領域を現像器特定情報記憶手段１（以下、特定情報記憶領域１と記す）５０７とする。
【００５３】
また、主制御装置１４０の有する揮発性メモリ１０８内に、前記現像器情報読み込み手段５０６により現像器の記憶装置２０２から読み出した情報を記憶する領域を確保し、前記領域を現像器情報記憶手段５０８とする。
【００５４】
次に、主制御装置１４０の有する不揮発性メモリ１０９内に、前記現像器特定手段５０２により現像器取り出し位置に存在する現像器の色の情報を記憶する領域確保し、前記領域を現像器特定情報記憶手段２（以下、特定情報記憶領域２と記す）５０９とする。
【００５５】
次に、現像器通信管理手段５０５を図８のフローチャートを用いて説明する。前記ドア開閉検出手段５００により上カバー１２８の開放を検知すると、現像器交換判断手段５０１により現像器が交換された可能性があると判断した場合（Ｓ２０１）、以下の処理に進む。前記現像器特定情報手段よりどの現像器が交換された可能性があるか特定し、特定された現像器の色の情報を前記特定情報記憶領域１（５０７）に記憶する。例えば、イエローの現像器が交換されたと判断された場合（Ｓ２０２）、特定情報記憶領域１（５０７）のビット０をＴＲＵＥにする（Ｓ２０３）。マゼンタ、シアン、ブラックについても同様に、現像器が交換されたと判断された場合、それぞれ特定情報記憶領域１（５０７）のビット１、ビット２、ビット３をＴＲＵＥにする（Ｓ２０４、Ｓ２０５，Ｓ２０６）。
【００５６】
そして、ユーザーが上カバーを閉鎖して、前記ドア開閉検出手段５００により上カバー１２８の閉鎖を検知し（Ｓ２０７）、現像器の交換を行う場合はＳ２０１〜Ｓ２０７を繰り返し、交換を行わない場合は以下の処理に進む（Ｓ２０８）。ここで、特定情報記憶領域１（５０７）に記憶されている情報を特定情報記憶領域２（５０９）に上書きする（Ｓ２０９）。
【００５７】
そして、現像器交換スイッチ１４２を押して交換したい現像器の色の情報を前記現像器通信管理手段に送信することにより、前記現像器位置制御手段及び前記現像器位置制御手段により交換したい現像器が取り出し位置に移動する。
【００５８】
取り出し位置に存在する現像器が前記現像器特定情報手段よりどの現像器であるか特定し（Ｓ２１１）、特定された現像器の色の情報を前記特定情報記憶領域２（５０９）に記憶する。例えば、イエローの現像器が現像器交換位置に存在する場合、特定情報記憶領域２（５０９）のビット０をＴＲＵＥにする（Ｓ２１２）。マゼンタ、シアン、ブラックについても同様に、現像器交換位置に現像器が存在していた場合、それぞれ特定情報記憶領域２（５０９）のビット１、ビット２、ビット３をＴＲＵＥにする（Ｓ２１３〜Ｓ２１５）。
【００５９】
そして、ユーザーが電源を切断し（Ｓ２１６）、その後電源を投入すると（Ｓ２１７）、特定情報記憶領域２（５０９）のビット０がＴＲＵＥの場合（Ｓ２１８Ｙ）、前記現像器保持体位置制御手段５０３により現像器保持体を回転させ、前記現像器保持体位置検出手段５０４により現像器の記憶装置と本体の接点との通信位置にイエローの現像器を停止させ、前記現像器情報読み込み手段５０６によりイエローの現像器の記憶装置から読み込みを行い、読み出した情報を現像器情報記憶手段５０８に記憶する（Ｓ２１９Ｙ）。そして特定情報記憶領域２（５０７）のビット０をクリアする（Ｓ２２０）。以下マゼンタ、シアン、ブラックについても同様に処理を実行し（Ｓ２１８Ｍ〜Ｓ２２０Ｋ）、終了する。
【００６０】
以上が本発明の第２の実施形態である。本実施形態を用いると、ユーザーが上カバー１２８の開閉時に現像器２０１を交換し、その後、記憶装置２０２からの情報読み込みをせずに電源が切断された場合、次にユーザーが電源投入した時の記憶装置２０２からの情報読み込みは交換された可能性のある現像器に対してのみ行われることになり、交換された可能性のない現像器は不必要な記憶装置２０２からの情報読み込みを行わずに済む。そのため、記憶装置２０２からの情報読み込みで行われる現像器の記憶装置２０２とメモリ通信コネクタ２０６の耐久性の向上に対して効果をあげることができる。また記憶装置２０２からの情報読み込みの時間が短縮でき、ユーザビリディを向上することができる。なお、本実施例では現像器の記憶装置と本体との通信端子間の通信手段として接触方式を用いたが、本実施形態において、前記通信手段として接触方式でなく非接触方式を用いた場合でも同様に記憶装置２０２からの情報読み込み回数を削減できる。そのため、記憶装置２０２からの情報読み込みの時間が短縮でき、ユーザビリディを向上することができる。
【図面の簡単な説明】
【００６１】
【図１】本発明に用いた画像形成装置の概略構成を示す側面断面図である。
【図２】本発明に用いた画像形成装置のメモリ通信手段の動作を説明する外観図である。
【図３】本発明の実施例での現像器取り出し位置の断面図である。
【図４】本発明の実施例での現像器保持体の駆動についての図である。
【図５】本発明の実施例１に用いた現像器の挿抜に係わる制御のブロック図である。
【図６】本発明の実施例１に用いた現像器交換処理、及び記憶装置２０２からの情報読み込み動作処理のシーケンス図である。
【図７】本発明の実施例２に用いた現像器の挿抜に係わる制御のブロック図である。
【図８】本発明の実施例２に用いた現像器交換処理、及び記憶装置２０２からの情報読み込み動作処理のシーケンス図である。
【符号の説明】
【００６２】
１０８  揮発性メモリ
１０９  不揮発性メモリ
１２８  上カバー
１３１  現像器保持体基準位置検知センサ
１３２  現像器保持体原点指示材
１３９  インターロックスイッチ
１４０  主制御装置
１５０  回転式現像器保持体
１６１  現像器保持体駆動モータ
１７１  エンコーダ
２０１ａ〜２０１ｄ  現像器
２０２  現像器の記憶装置
２０６  本体メモリ通信コネクタ
５０５  現像器通信管理手段
５０６現像器情報読み込み手段
【図１】
2005189280.tif 000003
【図２】
2005189280.tif 000004
【図３】
2005189280.tif 000005
【図４】
2005189280.tif 000006
【図５】
2005189280.tif 000007
【図６】
2005189280.tif 000008
【図７】
2005189280.tif 000009
【図８】
2005189280.tif 000010